(57)【要約】【目的】ダストシール等の密封装置において、開放側から軸を装着するときに、リップが反転することなく軸の挿入をスムースに行うことができるようにすること。【構成】  金属環の内周側に、開放側から立ち上がるゴムよりなる可撓部を有し、該可撓部には軸に当接する開放側の第１リップと密封側の第２リップとをそれぞれ開放側に向けて突出して設けてなる密封装置において、前記軸が開放側から挿入されるときに前記第１リップの変形の支点となる支点部を、該第１リップの基部付近と可撓部の基部付近の２箇所に設けた構造とした。このような構造としたことにより、軸を開放側から装着するときには、第１リップは、前記の２箇所を支点として拡径方向に変形するので柔軟性が増し、スムースに軸径方向に広がりやすくなるため、反転が生じることなく軸の装着が容易になった。【選択図】図１
2010190377.tif 000002
【特許請求の範囲】
【請求項１】
金属環の内周側に、開放側から立ち上がるゴムよりなる可撓部を有し、該可撓部には軸に密封接触する開放側の第１リップと密封側の第２リップとがそれぞれ開放側に向かって突出して設けられ、前記軸が開放側から装着されるときに前記第１リップの変形の起点となる支点部を、前記可撓部上の２箇所に備えせしめたことを特徴とする密封装置。
【請求項２】
前記可撓部において、前記第２リップの基部付近の肉厚を前記第１リップの基部付近の肉厚よりも大きくしたことを特徴とする請求項１記載の密封装置。
【発明の詳細な説明】
【技術分野】
【０００１】
本発明は、密封装置に関し、さらに詳細には、開放側からの塵埃の侵入を確実に防止するためのダストシールに適用される密封装置に関する。
【背景技術】
【０００２】
従来、密封装置において特にダストシールでは、開放側から密封側への塵埃等の侵入をより確実に防止するため、開放側に向かって突出する複数のリップを備えたものがある。
【０００３】
このようなダストシールの従来例を図２に示す。即ちこのダストシールは、ゴム製のシール本体２０に埋設された金属製補強環２１の内周側に、開放側Ｋから密封側Ｍに向かってシール本体２０から一体に立ち上げて形成された可撓部２２を有し、この可撓部２２には、この可撓部２２の基部より開放側Ｋに向けて突出せしめられ軸１０と所要の締め代で当接される第１リップ２５と、前記可撓部２２の先端部より開放側Ｋに向けて突出せしめられ軸１０と所要の締め代を有して当接される第２リップ２６とを備えている。
【０００４】
上記した従来のダストシールにあっては、軸は開放側Ｋより装着されるものであるが、そのとき第１リップ２５はスムースに拡径せず反転が生じやすかった。即ち，従来のダストシールにおいては、第１リップ２５は可撓部２２の立ち上げ基部付近から突出するように設けられているため、軸１０を装着するときにこの第１リップ２５の変形の基点となる支点部２７は第１リップ２５の基部付近の１箇所のみに存在し、変形の柔軟性が低いものであった。
【０００５】
そのため、上記した軸１０を開放側Ｋより装着するときには、第１リップ２５はスムースに拡径方向に変形せず、先端部が軸方向に反転するいわゆる捲れ状態となり、この捲れ状態を解消し軸に対し正常に接触させることは困難な作業であり軸の円滑な装着に不具合があった。
【０００６】
上記したようなダストリップの捲くれを防止する手段については、従来技術としてみることができないが、リップの捲くれを防止するという観点からは、密封装置における主リップの捲れの防止について次のような技術手段が開示されている。即ち、軸を密封側から回転させながら密封装置に挿入するようにしたものにおいて、前記の主リップの軸と接触する部位に、リップの拡径案内構造としてねじ又は螺旋状溝を設け、軸の回転挿入時に前記したねじ又は螺旋状形状により、リップの径を拡大する方向の力を生じさせ、捲れを発生させない方向に作用させたものがある（特許文献１参照）。
【先行技術文献】
【特許文献】
【０００７】
【特許文献１】特開２００７ー２８５４２８号公報
【発明の概要】
【発明が解決しようとする課題】
【０００８】
しかしながら，上記特許文献１においては、軸の挿入に当たり該軸を回転させながら、かつ密封側から軸を挿入するものにおいては有効であるが、開放側からの軸の挿入においては、ダストリップの軸との接触面にねじ又は螺旋状溝を形成することは、ダストリップの防塵の点から問題がある。そこで、本発明は、ダストリップの軸に対する締め代が所要の締め代を備えていても開放側からの軸の挿入が容易でダストリップが反転し捲くれることがなく円滑に装着可能とした密封装置の提供を目的とするものである。
【課題を解決するための手段】
【０００９】
本発明に係る密封装置は、前記の目的を達成するために、金属環の内周側に、開放側から立ち上がるゴムよりなる可撓部を有し、該可撓部には軸に密封当接する開放側の第１リップと密封側の第２リップとがそれぞれ開放側に向かって突出して設けられ、前記軸が開放側から装着されるときに前記第１リップの変形の起点となる支点部を、前記可撓部上の２箇所に備えせしめたことをその特徴とし、さらに、前記可撓部において、前記第２リップの基部付近の肉厚を前記第１リップの基部付近の肉厚よりも大きくしたことをその特徴とするものであ
【発明の効果】
【００１０】
本発明に係る密封装置は、第１リップの変形の起点となる支点部を、第１リップの基部付近と可撓部の基部付近の２箇所に備えているので、軸を開放側から挿入するときには、第１リップはその基部付近と可撓部の基部付近の２箇所を支点として拡径方向に変形する。このような構成としたことにより第１リップの変形の柔軟性が増し、軸の装着時には第１リップが反転することなく軸径までスムースに拡がりやすくなるので第１リップの締め代を確保したまま軸の装着が可能となるとする効果がある。  
【００１１】
また、上記したように第１リップが拡げられると第２リップも拡がり軸に対する緊迫力の低下を招くおそれがあるが、本発明においては、可撓部において第２リップの基部付近の肉厚を第１リップの基部付近の肉厚より増大させることにより、第２リップの拡がりを抑制し、緊迫力の低下を防止する効果を有するものである。
【図面の簡単な説明】
【００１２】
【図１】本発明の密封装置の説明図
【図２】従来の密封装置の説明図
【発明を実施するための形態】
【００１３】
本発明の実施の形態を説明すると、密封装置としてのダストシールは、ゴム製シール本体１に埋設された金属製補強環２の内周側に、開放側Ｋより密封側Ｍに向かってシール本体１から一体に立ち上げ形成した可撓部３に軸１０に対して所要の締め代をもって密封当接する開放側Ｋに向かって突出される開放側の第１リップ４を設け、該第１リップ４は、前記本体１の開放側Ｋ端部５より密封側Ｍ方向に距離Ｌだけずらせて形成されている。また、前記可撓部３の先端部即ち密封側Ｍの端部より開放側に向かって突出形成され軸１０に所定の締め代で当接される密封側の第２リップ６が設けられており、したがって前記第１リップ４は第２リップ６に近設されるように形成されている。
【００１４】
上記のように構成された本実施の形態のダストシールをハウジングに装着し、ダストシールに軸１０を開放側Ｋから挿入するときには、第１リップ４は、該第１リップ４の基部付近８と可撓部３の基部付近９の２箇所を支点として拡径方向に変形するものであり、上記のような構成としたことにより第１リップ４の変形の柔軟性が増し、軸１０を挿入するときに第１リップ４の先端部がスムースに軸径方向に広がりやすくなり、反転することがなくなった。また、第２リップ６は、第１リップ４に比して短く形成されているため、軸１０を挿入するときに反転が生じるおそれはない。
【００１５】
また、第１リップ４の上記した構成において、軸１０の挿入時に前記第１リップ４が拡げられると第２リップも拡がって軸１０に対する緊迫力の低下を招くおそれがあるが、本実施の形態においては、第２リップ６が突出する可撓部の基部付近の肉厚を前記第１リップ４の基部付近の肉厚よりも増大せしめた構成とし、該構成によって第２リップ６の拡がりを抑制し、緊迫力の低下を防止するようにしている。
【００１６】
上記したように、本実施の形態においては、軸１０の挿入時において第１リップ４がスムースに軸径方向に広がるように構成されるので、軸１０が装着された後において第１リップ４はそのまま直ちに所要の締め代で軸１０に当接されることになるものである。
【産業上の利用可能性】
【００１７】
本発明は、ダストシールにおいて、軸の挿入を開放側から実施した場合にリップの反転を防止するものであり、有益な発明である。また、本発明は、ダストシール以外の密封装置においても広く適用が可能である。
【符号の説明】
【００１８】
１  シール本体
２  金属製補強環
３  可撓部
４  第１リップ
５  シール本体の開放側端部
６  第２リップ
【図１】
2010190377.tif 000003
【図２】
2010190377.tif 000004